(57)【要約】【課題】衛生用マスクの上から着用することにより衛生用マスクと顔面との隙間を塞ぎ、風邪の予防効果を高めることができ、さらには抗ウィルス性、抗菌性、消臭性を備えたマスクカバーを提供する。【解決手段】伸縮性のある布が筒状に形成されており、布の前部がマスク覆い部１であり、マスク覆い部１の縦寸法が鼻の上から顎の下までの長さであり、上縁下縁に弾性紐材３が挿入されているマスクカバーである。布は抗ウィルス性、抗菌性、消臭性の繊維で形成されている。衛生用マスク４の上からマスクカバーを着用すると、衛生用マスク４を顔面に押さえる効果と、マスクカバーと顔面との間の隙間を塞ぐという効果があり、外部からウィルスなどの異物の侵入を防ぐことができる。抗ウィルス性繊維で形成されているため、マスクカバーを介してのウィルスの感染を防ぐことができる。【選択図】図１
2010162098.tif 000002
【特許請求の範囲】
【請求項１】
伸縮性のある布が筒状に形成されており、
前記布の前部がマスク覆い部であり、
他の部分が保持部であり、
前記マスク覆い部の縦寸法が鼻の上から顎の下までの長さである
ことを特徴とするマスクカバー。
【請求項２】
前記保持部に着脱部が形成されており、
前記着脱部は、
前記布が展開可能に切り離されており、
該切り離された両端部に留め部材が設けられている
ことを特徴とする請求項１記載のマスクカバー。
【請求項３】
前記布の上縁および下縁に弾性紐材が挿入されている
ことを特徴とする請求項１または２記載のマスクカバー。
【請求項４】
前記布が筒の円周方向にのみ伸縮性がある
ことを特徴とする請求項１または２記載のマスクカバー。
【請求項５】
前記布が抗ウィルス性の繊維で形成されている
ことを特徴とする請求項１または２記載のマスクカバー。
【請求項６】
前記布が抗菌性の繊維で形成されている
ことを特徴とする請求項１、２または５記載のマスクカバー。
【請求項７】
前記布が消臭性の繊維で形成されている
ことを特徴とする請求項１、２，５または６記載のマスクカバー。
【発明の詳細な説明】
【技術分野】
【０００１】
本発明は、マスクカバーに関する。さらに詳しくは、衛生用マスクの上から着用することにより衛生用マスクと顔面との隙間を塞ぎ、風邪の予防効果を高めることができ、さらには抗ウィルス性、抗菌性、消臭性を備えたマスクカバーに関する。
【背景技術】
【０００２】
従来、外部からのウィルスなどの異物の侵入を防ぐため、あるいは風邪を引いた時などに自らの鼻や口からウィルスなどを含んだ分泌物を飛散させないために、口や鼻を覆う衛生用マスクが使用されている。また、衛生用マスクには保湿効果や保温効果により喉を守る効果があるので風邪の予防にも使用されている。
一般に、衛生用マスクはガーゼや不織布などを用いて作られた平面状のものであり、その左右両側に耳掛け紐を備えている。しかし、人の顔面には、鼻や口などの突出部分があるため、マスクと顔面との間に隙間ができ易く、その隙間からウィルスなどが侵入し易いという問題を有している。
そこで、マスクと顔面との間に隙間ができないように、マスクの鼻筋に当たる部分にノーズワイヤーと呼ばれるプラスチックフィルムで被覆した針金を縫いこんだマスク（特許文献１参照）や、マスク自体の形状を顔面にフィットするように立体に形成した立体マスク（特許文献２参照）が提案されている。
しかるに、ノーズワイヤーが縫いこまれた衛生用マスクは、一度鼻と頬の形状に合わせてノーズワイヤーを変形させたとしても、会話中などにマスクが動くと隙間ができてしまうという問題がある。
【０００３】
また、近年特に、世界中で鳥インフルエンザの感染が問題となっている。鳥インフルエンザは養鶏業界に多大な経済損失を与えるばかりでなく、人が感染すると重篤な症状をもたらす感染症として公衆衛生上重要視されている。
インフルエンザをはじめとするウィルスは、衛生用マスクで体内への侵入を一時的に防いだとしても、付着した衛生用マスクのなかで２〜６時間生き続けることができる。そのため、ウィルスが付着したままの衛生用マスクを着用し続けると、ウィルスを吸い込み感染する恐れがある。そこで、マスクに付着したウィルスの数を低下させる抗ウィルス性を持つマスクが求められている。
【０００４】
また、衛生用マスクは鼻や口の周りに直接着用するため、汗などの分泌物が付着する場合が多い。そのため、ブドウ球菌などの各種雑菌が繁殖したり、汗の臭いや疲労臭、加齢臭などが付着したりする可能性がある。そこで、抗菌性、消臭性を備えたマスクも求められている。
【先行技術文献】
【特許文献】
【０００５】
【特許文献１】特開２００８−１２２４８号公報
【特許文献２】特開２００７−５４３８１号公報
【発明の概要】
【発明が解決しようとする課題】
【０００６】
本発明は上記事情に鑑み、衛生用マスクの上から着用することにより衛生用マスクと顔面との隙間を塞ぎ、風邪の予防効果を高めることができ、さらには抗ウィルス性、抗菌性、消臭性を備えたマスクカバーを提供することを目的とする。
【課題を解決するための手段】
【０００７】
第１発明のマスクカバーは、伸縮性のある布が筒状に形成されており、前記布の前部がマスク覆い部であり、他の部分が保持部であり、前記マスク覆い部の縦寸法が鼻の上から顎の下までの長さであることを特徴とする。
第２発明のマスクカバーは、第１発明において、前記保持部に着脱部が形成されており、前記着脱部は、前記布が展開可能に切り離されており、該切り離された両端部に留め部材が設けられている。
第３発明のマスクカバーは、第１または第２発明において、前記布の上縁および下縁に弾性紐材が挿入されていることを特徴とする。
第４発明のマスクカバーは、第１または第２発明において、前記布が筒の円周方向にのみ伸縮性があることを特徴とする。
第５発明のマスクカバーは、第１または第２発明において、前記布が抗ウィルス性の繊維で形成されていることを特徴とする。
第６発明のマスクカバーは、第１、第２または第５発明において、前記布が抗菌性の繊維で形成されていることを特徴とする。
第７発明のマスクカバーは、第１、第２、第５または第６発明において、前記布が消臭性の繊維で形成されていることを特徴とする。
【発明の効果】
【０００８】
第１発明によれば、衛生用マスクの上からマスクカバーを着用すると、マスク覆い部が衛生用マスクを覆い、保持部が後頭部に回るので、衛生用マスクおよびその周囲をマスクカバーにより覆い、保持することができる。マスクカバーは伸縮性のある布から形成されているため、衛生用マスクを顔面に押さえる効果と、マスクカバーと顔面との間の隙間を塞ぐという効果があり、外部からウィルスなどの異物の侵入を防ぐことができる。また、口や鼻を布で覆うため、保湿効果や保温効果により喉を守る効果があり、風邪の予防にも効果的である。なお、衛生用マスクを着用せず、マスクカバーのみを簡易マスクとして着用することもできる。この場合においても、マスクカバーと顔面との間の隙間を塞ぐという効果があり、外部からウィルスなどの異物の侵入を防ぐことができる。また、口や鼻を布で覆うため、保湿効果や保温効果により喉を守る効果があり、風邪の予防にも効果的である。
第２発明によれば、着脱部が形成されているので、マスクカバーを着用する際には、展開したマスクカバーを衛生用マスクに当て、着脱部で留めるだけでよいし、マスクカバーを取り外す際にも、着脱部から展開するだけでよい。そのため、マスクカバーの着脱が容易である。
第３発明によれば、弾性紐材が収縮することにより、マスクカバーの上縁および下縁と顔面との間の隙間を塞ぐ効果が高まり、外部からウィルスなどの異物の侵入を防ぐことができる。
第４発明によれば、筒の円周方向に伸縮性があるので、マスクカバーを顔面に保持することができ、衛生用マスクを顔面に押さえる効果と、マスクカバーと顔面との間の隙間を塞ぐという効果があり、外部からウィルスなどの異物の侵入を防ぐことができる。また、筒の縦方向には伸縮性がないので、顔面の縦方向には必要以上に伸縮することがない。
第５発明によれば、布が抗ウィルス性の繊維で形成されているため、マスクカバーに付着したウィルスの数を低下することができ、マスクカバーを介しての感染を防ぐことができる。
第６発明によれば、布が抗菌性の繊維で形成されているため、マスクカバーに付着した雑菌の繁殖を抑えることができ、いつでも清潔な状態でマスクカバーを使用することができる。
第７発明によれば、布が消臭性の繊維で形成されているため、マスクカバーに付着した汗の臭いや疲労臭、加齢臭を解消することができる。
【図面の簡単な説明】
【０００９】
【図１】本発明の一実施形態に係るマスクカバーＡの斜視図である。
【図２】同マスクカバーＡの着用時の外観図である。
【図３】衛生用マスクを着用しない場合のマスクカバーＡの着用時の外観図である。
【図４】本発明の第２実施形態に係るマスクカバーＢの側面図である。
【図５】本発明の第３実施形態に係るマスクカバーＣの外観図である。
【発明を実施するための形態】
【００１０】
つぎに、本発明の実施形態を図面に基づき説明する。
図１〜図３に示す本発明のマスクカバーＡは、人が通常の衛生用マスクを着用しているときに、その上から着用するものである。
【００１１】
マスクカバーＡは伸縮性のある布を筒状とすることで形成される。図２に示すように、マスクカバーＡは頭を通して、衛生用マスク４を覆うように着用する。そのため、衛生用マスク４を覆うマスク覆い部１は衛生用マスク４を覆うのに十分なように、その縦寸法が鼻の上から顎の下までの長さとなっている。また、着用者の後頭部側に回りマスクカバーＡを保持する保持部２はその縦寸法がマスク覆い部１より細く、マスクカバーＡを保持するのに十分な長さとなっている。
【００１２】
伸縮性のある布を筒状に形成しマスクカバーＡにする方法としては、伸縮性のある布を帯状に裁断し、その両端部を縫い合わせることが考えられる。この際、裁断端をかがり縫いするなどして布を織った糸がほつれるのを防ぐことが好ましい。もちろん、これ以外の方法で形成してもよく、伸縮性のある布を筒状に形成することができればよい。
【００１３】
図１および図２に示すように、マスクカバーＡの上縁および下縁、つまり開口周りには、ゴム紐３が挿入されており、着用時に開口部分が閉まるようになっている。本実施形態ではゴム紐３を使用したが、これの代わりに上縁および下縁をゴム編として弾性を持たせる形態としても良い。
【００１４】
マスクカバーＡに使用する布は全方向に伸縮性があっても良いが、筒の円周方向にのみ伸縮性があればよい。後述するように、マスクカバーＡが円周方向に伸縮することで、衛生用マスク４と顔面との間の隙間を塞ぎ、またマスクカバーＡを保持することができる。この際、マスクカバーＡは縦方向に伸縮する必要はない。布が縦方向にも伸縮する場合、衛生用マスク４がはみ出るなど、必要以上に収縮する恐れがあるので、布は円周方向にのみ伸縮性がある方が好ましい。
【００１５】
また、マスクカバーＡに使用する布は抗ウィルス性の繊維で形成されていることが好ましい。外気に浮遊するウィルスがマスクカバーＡに付着する可能性があるが、布が抗ウィルス性の繊維で形成されていない場合、付着したウィルスはマスクカバーＡのなかで生き続けることができる。そのため、ウィルスが付着したマスクカバーＡを着用し続けると、ウィルスを吸い込み感染する恐れがある。布が抗ウィルス性の繊維で形成されていれば、マスクカバーＡに付着したウィルスの数を低下することができ、マスクカバーを介しての感染を防ぐことができる。
【００１６】
抗ウィルス性を持つ繊維は特に限定されないが、例えば「フルテクト」（シキボウ株式会社、登録商標）を用いればよい。
【００１７】
また、マスクカバーＡに使用する布は抗菌性の繊維で形成されていることが好ましい。マスクカバーＡは鼻や口の周りに直接着用するため、汗などの分泌物が付着する場合が多い。そのため、ブドウ球菌などの各種雑菌が繁殖する可能性がある。布が抗菌性の繊維で形成されていれば、マスクカバーＡに付着した雑菌の繁殖を抑えることができ、いつでも清潔な状態でマスクカバーＡを使用することができる。
【００１８】
さらに、マスクカバーＡに使用する布は消臭性の繊維で形成されていることが好ましい。マスクカバーＡは汗などの分泌物と供に、汗の臭いや疲労臭、加齢臭などが付着する可能性がある。布が消臭性の繊維で形成されていれば、マスクカバーＡに付着した汗の臭いや疲労臭、加齢臭を解消することができる。
【００１９】
抗菌性、消臭性を持つ繊維は特に限定されないが、例えば空気触媒清潔加工「ＴｉｏＴｉｏ」（株式会社サンワード商会、登録商標）を施した繊維を用いればよい。空気触媒清潔加工「ＴｉｏＴｉｏ」を施せば抗菌性、消臭性を同時に得ることができる。
【００２０】
なお、抗ウィルス加工、抗菌加工、消臭加工を単独で施した繊維を用いても良いが、各加工を施し抗ウィルス性、抗菌性、消臭性を全て併せ持つ繊維を用いればなお好ましい。
【００２１】
次に、マスクカバーＡの着用方法を図２に基づき説明する。
まず、市販の衛生用マスク４を着用する。次に、マスクカバーＡを頭から通し、マスク覆い部１で衛生用マスク４を覆い、保持部２が後頭部に位置するよう着用する。こうすることで、衛生用マスク４およびその周囲の顔面をマスクカバーＡにより覆い、保持することができる。
【００２２】
マスクカバーＡは伸縮性のある布から形成されているため、マスクカバーＡが円周方向に収縮する力により衛生用マスク４を顔面に押さえる効果がある。またマスクカバーＡ自体と顔面との間の隙間を塞ぐ効果もある。さらに、マスクカバーＡの上縁および下縁に挿入されたゴム紐が収縮することにより、マスクカバーＡの上縁および下縁と顔面との間の隙間を塞ぐ効果が高まる。口や鼻と外気との間は顔面に押さえられた衛生用マスク４と顔面に密着したマスクカバーＡとにより塞がれているので、外部からのウィルスなどの異物の侵入を防ぐことができる。また、口や鼻を布で覆うため、保湿効果や保温効果により喉を守る効果があり、風邪の予防にも効果的である。
【００２３】
なお、衛生用マスク４を着用せず、マスクカバーＡのみを簡易マスクとして着用することもできる。図３は衛生用マスク４を着用しない場合のマスクカバーＡの着用時の外観図である。この場合においても、マスクカバーＡと顔面との間の隙間を塞ぐという効果があり、外部からウィルスなどの異物の侵入を防ぐことができる。また、口や鼻を布で覆うため、保湿効果や保温効果により喉を守る効果があり、風邪の予防にも効果的である。
【００２４】
（第２実施形態）
図４は第２実施形態のマスクカバーＢを示している。このマスクカバーＢは、伸縮性のある布あるいは編物を用いて筒状にしたものである。そして、マスク覆い部１は上下に高いものとなっている。つまり、図２に示すように、マスク覆い部１の上部は、開口部の縁が鼻の横に沿うように側面視三角形となっている。また、マスク覆い部１の、着用時に顎の下に相当する部分は、開口部が狭くなるように内側に絞るように形成されている。このように顔面にフィットする形状とすることで、マスクカバーＡと顔面との間の隙間を効果的に塞ぐことができる。
【００２５】
（第３実施形態）
図５は本考案の第３実施形態に係るマスクカバーＣの外観図である。
マスクカバーＣの保持部２において、布が展開可能に切り離されており、その切り離された両端部には留め部材３が設けられている。その余の構成は第１実施形態に係るマスクカバーＡと同様である。
【００２６】
保持部２において布が展開可能であるので、マスクカバーＣを着用する際には、展開したマスクカバーＣを衛生用マスク４に当て、留め部３で留めるだけでよい。また、マスクカバーＣを取り外す際にも、留め部３を外し、展開するだけでよい。そのため、マスクカバーＣの着脱が容易である。
【００２７】
留め部材３は、例えば面ファスナーやフック等であるが、これに限定されない。留め部材３に面ファスナーを用いた場合、一方の面ファスナーを幅広にし、他方の面ファスナーを細くしてもよい。こうすることで、留める位置を調節することができ、着用者の頭の大きさに合わせてマスクカバーＣの円周長さを調節したり、マスクカバーＣの収縮する力を調節したりすることができる。
【符号の説明】
【００２８】
Ａ、Ｂ，Ｃ  マスクカバー
１          マスク覆い部
２          保持部
３          ゴム紐
４          衛生用マスク
【図１】
2010162098.tif 000003
【図２】
2010162098.tif 000004
【図３】
2010162098.tif 000005
【図４】
2010162098.tif 000006
【図５】
2010162098.tif 000007
【手続補正書】
【提出日】平成21年8月11日(2009.8.11)
【手続補正１】
【補正対象書類名】明細書
【補正対象項目名】全文
【補正方法】変更
【補正の内容】
【発明の詳細な説明】
【技術分野】
【０００１】
本発明は、マスクカバーに関する。さらに詳しくは、衛生用マスクの上から着用することにより衛生用マスクと顔面との隙間を塞ぎ、風邪の予防効果を高めることができ、さらには抗ウィルス性、抗菌性、消臭性を備えたマスクカバーに関する。
【背景技術】
【０００２】
従来、外部からのウィルスなどの異物の侵入を防ぐため、あるいは風邪を引いた時などに自らの鼻や口からウィルスなどを含んだ分泌物を飛散させないために、口や鼻を覆う衛生用マスクが使用されている。また、衛生用マスクには保湿効果や保温効果により喉を守る効果があるので風邪の予防にも使用されている。
一般に、衛生用マスクはガーゼや不織布などを用いて作られた平面状のものであり、その左右両側に耳掛け紐を備えている。しかし、人の顔面には、鼻や口などの突出部分があるため、マスクと顔面との間に隙間ができ易く、その隙間からウィルスなどが侵入し易いという問題を有している。
そこで、マスクと顔面との間に隙間ができないように、マスクの鼻筋に当たる部分にノーズワイヤーと呼ばれるプラスチックフィルムで被覆した針金を縫いこんだマスク（特許文献１参照）や、マスク自体の形状を顔面にフィットするように立体に形成した立体マスク（特許文献２参照）が提案されている。
しかるに、ノーズワイヤーが縫いこまれた衛生用マスクは、一度鼻と頬の形状に合わせてノーズワイヤーを変形させたとしても、会話中などにマスクが動くと隙間ができてしまうという問題がある。
【０００３】
また、近年特に、世界中で鳥インフルエンザの感染が問題となっている。鳥インフルエンザは養鶏業界に多大な経済損失を与えるばかりでなく、人が感染すると重篤な症状をもたらす感染症として公衆衛生上重要視されている。
インフルエンザをはじめとするウィルスは、衛生用マスクで体内への侵入を一時的に防いだとしても、付着した衛生用マスクのなかで２〜６時間生き続けることができる。そのため、ウィルスが付着したままの衛生用マスクを着用し続けると、ウィルスを吸い込み感染する恐れがある。そこで、マスクに付着したウィルスの数を低下させる抗ウィルス性を持つマスクが求められている。
【０００４】
また、衛生用マスクは鼻や口の周りに直接着用するため、汗などの分泌物が付着する場合が多い。そのため、ブドウ球菌などの各種雑菌が繁殖したり、汗の臭いや疲労臭、加齢臭などが付着したりする可能性がある。そこで、抗菌性、消臭性を備えたマスクも求められている。
【先行技術文献】
【特許文献】
【０００５】
【特許文献１】特開２００８−１２２４８号公報
【特許文献２】特開２００７−５４３８１号公報
【発明の概要】
【発明が解決しようとする課題】
【０００６】
本発明は上記事情に鑑み、衛生用マスクの上から着用することにより衛生用マスクと顔面との隙間を塞ぎ、風邪の予防効果を高めることができ、さらには抗ウィルス性、抗菌性、消臭性を備えたマスクカバーを提供することを目的とする。
【課題を解決するための手段】
【０００７】
第１発明のマスクカバーは、伸縮性のある布が筒状に形成されており、前記布の前部がマスク覆い部であり、他の部分が保持部であり、前記マスク覆い部は、衛生用マスクを覆う広さを有しており、縦寸法が鼻の上から顎の下までの長さであり、前記保持部の縦寸法は前記マスク覆い部の縦寸法より短い寸法であり、前記布の上縁および下縁に弾性紐材が挿入されており、前記布が筒の円周方向にのみ伸縮性があり、縦方向には伸縮性がないことを特徴とする。
第２発明のマスクカバーは、第１発明において、前記保持部に着脱部が形成されており、前記着脱部は、前記布が展開可能に切り離されており、該切り離された両端部に留め部材が設けられていることを特徴とする。
第３発明のマスクカバーは、第１または第２発明において、前記布が抗ウィルス性の繊維で形成されていることを特徴とする。
第４発明のマスクカバーは、第１、第２または第３発明において、前記布が抗菌性の繊維で形成されていることを特徴とする。
第５発明のマスクカバーは、第１、第２、第３または第４発明において、前記布が消臭性の繊維で形成されていることを特徴とする。
【発明の効果】
【０００８】
第１発明によれば次の効果を奏する。
（ａ）衛生用マスクの上からマスクカバーを着用すると、マスク覆い部が衛生用マスクを覆い、保持部が後頭部に回るので、衛生用マスクおよびその周囲をマスクカバーにより覆い、保持することができる。マスクカバーは伸縮性のある布から形成されているため、衛生用マスクを顔面に押さえる効果と、マスクカバーと顔面との間の隙間を塞ぐという効果があり、外部からウィルスなどの異物の侵入を防ぐことができる。また、口や鼻を布で覆うため、保湿効果や保温効果により喉を守る効果があり、風邪の予防にも効果的である。なお、衛生用マスクを着用せず、マスクカバーのみを簡易マスクとして着用することもできる。この場合においても、マスクカバーと顔面との間の隙間を塞ぐという効果があり、外部からウィルスなどの異物の侵入を防ぐことができる。また、口や鼻を布で覆うため、保湿効果や保温効果により喉を守る効果があり、風邪の予防にも効果的である。
（ｂ）弾性紐材が収縮することにより、マスクカバーの上縁および下縁と顔面との間の隙間を塞ぐ効果が高まり、外部からウィルスなどの異物の侵入を防ぐことができる。
（ｃ）筒の円周方向に伸縮性があるので、マスクカバーを顔面に保持することができ、衛生用マスクを顔面に押さえる効果と、マスクカバーと顔面との間の隙間を塞ぐという効果があり、外部からウィルスなどの異物の侵入を防ぐことができる。また、筒の縦方向には伸縮性がないので、顔面の縦方向には必要以上に伸縮することがなく、衛生用マスクがはみ出ることがない。
第２発明によれば、着脱部が形成されているので、マスクカバーを着用する際には、展開したマスクカバーを衛生用マスクに当て、着脱部で留めるだけでよいし、マスクカバーを取り外す際にも、着脱部から展開するだけでよい。そのため、マスクカバーの着脱が容易である。
第３発明によれば、布が抗ウィルス性の繊維で形成されているため、マスクカバーに付着したウィルスの数を低下することができ、マスクカバーを介しての感染を防ぐことができる。
第４発明によれば、布が抗菌性の繊維で形成されているため、マスクカバーに付着した雑菌の繁殖を抑えることができ、いつでも清潔な状態でマスクカバーを使用することができる。
第５発明によれば、布が消臭性の繊維で形成されているため、マスクカバーに付着した汗の臭いや疲労臭、加齢臭を解消することができる。
【図面の簡単な説明】
【０００９】
【図１】本発明の一実施形態に係るマスクカバーＡの斜視図である。
【図２】同マスクカバーＡの着用時の外観図である。
【図３】衛生用マスクを着用しない場合のマスクカバーＡの着用時の外観図である。
【図４】本発明の第２実施形態に係るマスクカバーＢの側面図である。
【図５】本発明の第３実施形態に係るマスクカバーＣの外観図である。
【発明を実施するための形態】
【００１０】
つぎに、本発明の実施形態を図面に基づき説明する。
図１〜図３に示す本発明のマスクカバーＡは、人が通常の衛生用マスクを着用しているときに、その上から着用するものである。
【００１１】
マスクカバーＡは伸縮性のある布を筒状とすることで形成される。図２に示すように、マスクカバーＡは頭を通して、衛生用マスク４を覆うように着用する。そのため、衛生用マスク４を覆うマスク覆い部１は衛生用マスク４を覆うのに十分なように、その縦寸法が鼻の上から顎の下までの長さとなっている。また、着用者の後頭部側に回りマスクカバーＡを保持する保持部２はその縦寸法がマスク覆い部１より細く、マスクカバーＡを保持するのに十分な長さとなっている。
【００１２】
伸縮性のある布を筒状に形成しマスクカバーＡにする方法としては、伸縮性のある布を帯状に裁断し、その両端部を縫い合わせることが考えられる。この際、裁断端をかがり縫いするなどして布を織った糸がほつれるのを防ぐことが好ましい。もちろん、これ以外の方法で形成してもよく、伸縮性のある布を筒状に形成することができればよい。
【００１３】
図１および図２に示すように、マスクカバーＡの上縁および下縁、つまり開口周りには、ゴム紐３が挿入されており、着用時に開口部分が閉まるようになっている。本実施形態ではゴム紐３を使用したが、これの代わりに上縁および下縁をゴム編として弾性を持たせる形態としても良い。
【００１４】
マスクカバーＡに使用する布は、筒の円周方向にのみ伸縮性がある。後述するように、マスクカバーＡが円周方向に伸縮することで、衛生用マスク４と顔面との間の隙間を塞ぎ、またマスクカバーＡを保持することができる。この際、マスクカバーＡは縦方向に伸縮する必要はない。筒の縦方向には伸縮性がないので、顔面の縦方向には必要以上に伸縮することがなく、衛生用マスクがはみ出ることがない。
【００１５】
また、マスクカバーＡに使用する布は抗ウィルス性の繊維で形成されていることが好ましい。外気に浮遊するウィルスがマスクカバーＡに付着する可能性があるが、布が抗ウィルス性の繊維で形成されていない場合、付着したウィルスはマスクカバーＡのなかで生き続けることができる。そのため、ウィルスが付着したマスクカバーＡを着用し続けると、ウィルスを吸い込み感染する恐れがある。布が抗ウィルス性の繊維で形成されていれば、マスクカバーＡに付着したウィルスの数を低下することができ、マスクカバーを介しての感染を防ぐことができる。
【００１６】
抗ウィルス性を持つ繊維は特に限定されないが、例えば「フルテクト」（シキボウ株式会社、登録商標）を用いればよい。
【００１７】
また、マスクカバーＡに使用する布は抗菌性の繊維で形成されていることが好ましい。マスクカバーＡは鼻や口の周りに直接着用するため、汗などの分泌物が付着する場合が多い。そのため、ブドウ球菌などの各種雑菌が繁殖する可能性がある。布が抗菌性の繊維で形成されていれば、マスクカバーＡに付着した雑菌の繁殖を抑えることができ、いつでも清潔な状態でマスクカバーＡを使用することができる。
【００１８】
さらに、マスクカバーＡに使用する布は消臭性の繊維で形成されていることが好ましい。マスクカバーＡは汗などの分泌物と供に、汗の臭いや疲労臭、加齢臭などが付着する可能性がある。布が消臭性の繊維で形成されていれば、マスクカバーＡに付着した汗の臭いや疲労臭、加齢臭を解消することができる。
【００１９】
抗菌性、消臭性を持つ繊維は特に限定されないが、例えば空気触媒清潔加工「ＴｉｏＴｉｏ」（株式会社サンワード商会、登録商標）を施した繊維を用いればよい。空気触媒清潔加工「ＴｉｏＴｉｏ」を施せば抗菌性、消臭性を同時に得ることができる。
【００２０】
なお、抗ウィルス加工、抗菌加工、消臭加工を単独で施した繊維を用いても良いが、各加工を施し抗ウィルス性、抗菌性、消臭性を全て併せ持つ繊維を用いればなお好ましい。
【００２１】
次に、マスクカバーＡの着用方法を図２に基づき説明する。
まず、市販の衛生用マスク４を着用する。次に、マスクカバーＡを頭から通し、マスク覆い部１で衛生用マスク４を覆い、保持部２が後頭部に位置するよう着用する。こうすることで、衛生用マスク４およびその周囲の顔面をマスクカバーＡにより覆い、保持することができる。
【００２２】
マスクカバーＡは伸縮性のある布から形成されているため、マスクカバーＡが円周方向に収縮する力により衛生用マスク４を顔面に押さえる効果がある。またマスクカバーＡ自体と顔面との間の隙間を塞ぐ効果もある。さらに、マスクカバーＡの上縁および下縁に挿入されたゴム紐が収縮することにより、マスクカバーＡの上縁および下縁と顔面との間の隙間を塞ぐ効果が高まる。口や鼻と外気との間は顔面に押さえられた衛生用マスク４と顔面に密着したマスクカバーＡとにより塞がれているので、外部からのウィルスなどの異物の侵入を防ぐことができる。また、口や鼻を布で覆うため、保湿効果や保温効果により喉を守る効果があり、風邪の予防にも効果的である。
【００２３】
なお、衛生用マスク４を着用せず、マスクカバーＡのみを簡易マスクとして着用することもできる。図３は衛生用マスク４を着用しない場合のマスクカバーＡの着用時の外観図である。この場合においても、マスクカバーＡと顔面との間の隙間を塞ぐという効果があり、外部からウィルスなどの異物の侵入を防ぐことができる。また、口や鼻を布で覆うため、保湿効果や保温効果により喉を守る効果があり、風邪の予防にも効果的である。
【００２４】
（第２実施形態）
図４は第２実施形態のマスクカバーＢを示している。このマスクカバーＢは、伸縮性のある布あるいは編物を用いて筒状にしたものである。そして、マスク覆い部１は上下に高いものとなっている。つまり、図２に示すように、マスク覆い部１の上部は、開口部の縁が鼻の横に沿うように側面視三角形となっている。また、マスク覆い部１の、着用時に顎の下に相当する部分は、開口部が狭くなるように内側に絞るように形成されている。このように顔面にフィットする形状とすることで、マスクカバーＡと顔面との間の隙間を効果的に塞ぐことができる。
【００２５】
（第３実施形態）
図５は本考案の第３実施形態に係るマスクカバーＣの外観図である。
マスクカバーＣの保持部２において、布が展開可能に切り離されており、その切り離された両端部には留め部材３が設けられている。その余の構成は第１実施形態に係るマスクカバーＡと同様である。
【００２６】
保持部２において布が展開可能であるので、マスクカバーＣを着用する際には、展開したマスクカバーＣを衛生用マスク４に当て、留め部３で留めるだけでよい。また、マスクカバーＣを取り外す際にも、留め部３を外し、展開するだけでよい。そのため、マスクカバーＣの着脱が容易である。
【００２７】
留め部材３は、例えば面ファスナーやフック等であるが、これに限定されない。留め部材３に面ファスナーを用いた場合、一方の面ファスナーを幅広にし、他方の面ファスナーを細くしてもよい。こうすることで、留める位置を調節することができ、着用者の頭の大きさに合わせてマスクカバーＣの円周長さを調節したり、マスクカバーＣの収縮する力を調節したりすることができる。
【符号の説明】
【００２８】
Ａ、Ｂ，Ｃ  マスクカバー
１          マスク覆い部
２          保持部
３          ゴム紐
４          衛生用マスク
【手続補正２】
【補正対象書類名】特許請求の範囲
【補正対象項目名】全文
【補正方法】変更
【補正の内容】
【特許請求の範囲】
【請求項１】
伸縮性のある布が筒状に形成されており、
前記布の前部がマスク覆い部であり、
他の部分が保持部であり、
前記マスク覆い部は、衛生用マスクを覆う広さを有しており、縦寸法が鼻の上から顎の下までの長さであり、
前記保持部の縦寸法は前記マスク覆い部の縦寸法より短い寸法であり、
前記布の上縁および下縁に弾性紐材が挿入されており、
前記布が筒の円周方向にのみ伸縮性があり、縦方向には伸縮性がない
ことを特徴とするマスクカバー。
【請求項２】
前記保持部に着脱部が形成されており、
前記着脱部は、
前記布が展開可能に切り離されており、
該切り離された両端部に留め部材が設けられている
ことを特徴とする請求項１記載のマスクカバー。
【請求項３】
前記布が抗ウィルス性の繊維で形成されている
ことを特徴とする請求項１または２記載のマスクカバー。
【請求項４】
前記布が抗菌性の繊維で形成されている
ことを特徴とする請求項１、２または３記載のマスクカバー。
【請求項５】
前記布が消臭性の繊維で形成されている
ことを特徴とする請求項１、２，３または４記載のマスクカバー。